(57)【特許請求の範囲】
【請求項１】
物品収納袋用のクリップであって、該クリップは、棒状で溝を有する第１の支持部材、該第１の支持部材に回動自在に取り付けられ該溝に嵌合する嵌合部材、および棒状で溝を有する第２の支持部材から構成され、該第２の支持部材は該第１の支持部材に該嵌合部材の回動方向とは垂直方向に回動自在に取り付けられ、該第１の支持部材は該嵌合部材を嵌合した状態で、その嵌合している部分のほぼ全体を該第２の支持部材の溝に嵌合させることにより、該嵌合部材が該第１の支持部材から離間しないようにしたことを特徴とするクリップ
【発明の詳細な説明】
【技術分野】
【０００１】  本発明は、食品等の物品が入った紙袋やプラスチック・フィルム袋等の開口部をシールするためのクリップであり、特にレトルト食品の一部を安定的に保存するのに適している。
【背景技術】
【０００２】  従来から、食品が入ったプラスチック・フィルム袋の開口部をシールするクリップが市販されており、簡単に使用できるために広く普及している。このクリップは、図２に示す様に、棒状で断面がＵ字状の溝が形成されている支持部材３の端に、該Ｕ字状の溝に嵌合する嵌合部材２が回動自在に取り付けられており、プラスチック・フィルム袋のシール時には、プラスチック・フィルム袋の開口部付近を嵌合部材２と支持部材３で上下から挟んで、嵌合部材２と支持部材３を嵌合させる。嵌合部材２と支持部材３はポリプロピレン等のプラスチックで形成されているので、その弾力性と摩擦力を利用してプラスチック・フィルム袋の上下の膜を密着させることによりシール状態を保つ様になっている。
【発明の概要】
【発明が解決しようとする課題】
【０００３】  しかし、この従来のクリップは、プラスチック・フィルム袋の開口部をカットしてから使用することが前提とされており、レトルト食品の袋をこの手順でシールすると、シールする前に空気とともに雑菌が食品に触れるため、レトルト食品の一部を残して保存するのには不向きであった。したがって、レトルト食品は一旦封を切った後はすみやかに使い切ることが推奨されている。しかし、一般に市販されているレトルト食品は通常３〜４人前用になっており、例えば一人暮らしの人が一度に食する量ではないので、少量だけ使って余った分を引き続き保存できれば理想的である。
レトルト袋内の食品に空気が触れないためには、レトルト袋をカットする前に、所望の量に分割する位置に完全にクリップしてシールしてから、クリップから出ている部分だけレトルト袋をカットすれば、残りのレトルト袋には空気が全く入ることがない。しかし。レトルト食品の場合は、少しでも空気に触れると保存性が急に悪くなるので、シールが長期に安定的になされていることが必須となる。この点、従来のクリップは、単にプラスチックの弾力性と摩擦力を利用しているだけなので、経年による使用により嵌合部材２と支持部材３が変形して嵌合部分が緩み、シール性が悪化することが多く、また何かの弾みでクリップが動いて嵌合部分が外れることも多かった。【０００４】  本発明の目的は、この問題を解決するために創意工夫されたものであって、本発明の目的は、紙袋やプラスチック・フィルム袋等、特にレトルト等の開口部を長期に安定的にシールすることができる物品保存用クリップを提供することにある。
【課題を解決するための手段】
【０００５】  本発明に係るクリップは、棒状で断面がＵ字状の溝を有する第１の支持部材、該第１の支持部材に回動自在に取り付けられ該溝に嵌合する嵌合部材、および該嵌合部材が該第１の支持部材に嵌合された状態で該第１の支持部材が嵌合する棒状で断面がコの字状の溝を有する第２の支持部材から構成され、該第２の支持部材が該第１の支持部材に回動自在に取り付けられていることを特徴としている。
本発明に係る物品収納用クリップの他の実施態様では、該Ｕ字状の溝の長さ方向に沿って物品収納袋を切断するためのカッターが該第１の支持部材の側面に設けられていることを特徴としている。
【発明の効果】
【０００６】  本発明に係るクリップを用いることよって、シール状態が言わばロックされるので、食品等の物品が入ったプラスチック・フィルム袋や紙袋を確実に長期に亘って安定的にシールすることが可能である。特にレトルト袋をクリップする場合に使用する場合には、空気の混入を防ぎながらレトルトの一部を必要量だけ取り出して、残りを空気に触れさせることなく安定的に保存を継続することができる。
また、クリップからはみ出たプラスチック・フィルム袋やレトルト袋はカットして保存すれば、かさばることなく見た目もきれいになるので、旅行等で携帯するのにも適している。
【図面の簡単な説明】
【０００７】
【図１】本発明に係るクリップの一実施態様を説明する斜視図である。
【図２】従来のクリップを説明する斜視図である。
【図３】本発明に係るクリップを使用する状態を説明する斜視図である。
【図４】図３の矢印Ｃにおける断面図である。
【図５】図３の矢印Ｃにおける他の断面図である。
【図６】本発明に係るクリップの他の一実施態様を説明する斜視図である。
【図７】図６の実施態様の場合の断面図である。
【図８】本発明に係るクリップの他の一実施態様を説明する斜視図である。
【発明を実施するための形態】
【０００８】  図１は本発明の実施例の一つを示している。嵌合部材２と第１の支持部材３とは、従来のクリップと同様な素材により形成されるが、本発明では、これらに更にポリプロピレン等のプラスチックでできた第２の支持部材４が第１の支持部材３の端に回動自在に取り付けられている。破線でその位置を示しているレトルト袋６の食品の一部だけ使用して残りを引き続き保存する場合について以下に説明するが、本発明によるクリップ１は、従来のクリップと同様に通常のプラスチック・フィルム袋や紙袋にも使用できる。
適当な位置でレトルト袋６を嵌合部材２と第１の支持部材３で挟み込み、嵌合部材２を矢印Ａの方向に押し下げて嵌合部材２を第１の支持部材３のＵ字状溝に嵌合させてシールする。その後、レトルト袋６に通常設けられている切り欠け部７を手で引き裂くか、はさみでカットしてレトルト袋６の内容物を普通の通りに取り出す。この時点で、レトルト袋６で残しておきたい食品の入った部分は嵌合部材２と第１の支持部材３によって完全にシールされているので、空気が残りのレトルト袋６に混入することはない。次に、クリップ１からはみ出たレトルト袋６について、第１の支持部材３の長手方向側面に沿ってはさみで切り取り、その後第２の支持部材４を矢印Ｂ方向に回して、レトルト袋６の残りを挟み込んだ嵌合部材２と第１の支持部材３が嵌合されて一体となったものを第２の支持部材４のコの字状の溝に嵌合させる。図３の実線はこの時の状態を示すもので、図４は矢印Ｃの位置の断面図を表している。第２の支持部材４の断面は、図４に示す様に嵌合部材２と第１の支持部材３がコの字状の溝に嵌合された時にクリック感を伴ってロックされる形状になっている。この仕組みによって、従来のクリップで生じていた知らぬ間に嵌合部材２と支持部材３の嵌合が外れていたということがなくなる。なお、図４に見られる様に、嵌合部材２は弾力性を強めるために、その断面はやはりＵ字状になっている。
【０００９】  レトルト食品の場合は、レトルト袋から食品を取り出してもレトルト袋の内側に食品が多少付着して残ってしまうので、クリップ１からはみ出た部分は切り取った方が見た目にも衛生的にもよいが、レトルト食品以外のプラスチック・フィルム袋、紙袋の場合は、図５に示す様にはさみで切り取らず第１の支持部材３に巻きついた状態で第２の支持部材４でロックすることができる。
後日、引き続き保存したレトルト食品の残りを使用する場合は、上記の嵌合部分をはずして、カットしたレトルト袋６の開口部から食品を出してもよいが、第１の支持部材３の反対側側面をはさみ等で切り取り、新しい切り口を作って食品を出す方が衛生上はより好ましい。
【００１０】  図６は、第１の支持部材３の側面にカッター５を取り付けた実施例を示している。このカッター５は、はさみを用いることなくレトルト袋６を第１の支持部材３の長さ方向に沿って手で切り取るとるためのもので、図６の様に第１の支持部材３に直接カッター５を形成するか、別に作ったカッター５を第１の支持部材３の側面に貼付してもよい。カッター５の刃の形状としては、少し力を加えないとレトルト袋６が切れない様なノコギリ刃が望ましいが、切れ味を重視する場合は平刃でもよい。カッター５の素材としては硬質プラスチック、アルミ、スチール等であるが特に制限はない。また、図６では第１の支持部材３の両側面にカッター５が設けられているが、片側だけでもよい。図７はカッター５がある場合の断面図を示している。なお、カッター５を使用する場合、レトルト袋６内に圧力がかかっていると途中の切り口から中の食品が噴出するので注意が必要である。
図８は逆に支持部材が１つ（第２の支持部材がない）で、その側面にカッター５が設けられた実施例であり、シールのロック機能はないが全体が簡便であり、部品点数も少ないのでコストが安い利点がある。
【００１１】  一旦レトルト袋６を図３の様にクリップしてシールして、後日レトルト食品の一部だけ使用して、更に残りをそのまま維持保存する場合には次の様にする。
まず、本発明に係る別のクリップで図３のレトルト袋６を所望の位置において挟む準備をしておき、次に現在の開口部をシールしているクリップの第２の支持部材４を外してロックを解除し、嵌合部材２についても第１の支持部材３からやや嵌合状態を緩めておく。この状態で新しいクリップの嵌合部材２を押し下げて第１の支持部材２に嵌合させると、レトルト袋６の内圧が上がるので、レトルト食品が既に緩めてあった開口部から出てくる。この場合にも、残りのレトルト袋６に全く空気が入り込むことがなく、シール状態は維持される。
なお、以上は収納する物品を主に食品として説明したが、食品以外の物品であっても、外気を遮断して密封シールする場合に本発明のクリップが利用できるのは言うまでもない。
【符号の説明】
【００１２】１  クリップ
２  嵌合部材
３  第１の支持部材
４  第２の支持部材
５  カッター
６  レトルト袋
７  切り欠け部
【図１】
0005835714.tif 000002
【図２】
0005835714.tif 000003
【図３】
0005835714.tif 000004
【図４】
0005835714.tif 000005
【図５】
0005835714.tif 000006
【図６】
0005835714.tif 000007
【図７】
0005835714.tif 000008
【図８】
0005835714.tif 000009